(57)【要約】【課題】リモコン送信機において、操作をしない場合は完全に電源を遮断する一方で、操作開始時においては遅滞なく操作開始を検出して、違和感無くリモコンの操作を行なえるようにする事。【解決手段】利用者がリモコン送信機を操作しない場合は電力供給部６により電源部４から制御部３への電力供給を遮断し、リモコン未操作時の電源の消耗を防止する一方、利用者がリモコン送信機の操作を開始する場合には、発電機能を有した操作検出部５の出力信号により電力供給部６が電源部４から制御部３への電力の供給を開始することにより、利用者は違和感無くリモコン送信機の操作を行なうことができる。【選択図】図１
2006203729.tif 000002
【特許請求の範囲】
【請求項１】
一つ又は複数の機能に対応する入力部と、前記入力部に対応する機能を表示する表示部とリモコン送信機全体の制御を行なう制御部とリモコン送信機全体を動作させるための電力を蓄えている電源部とを備えたリモコン送信機であって、前記リモコン送信機は利用者の操作開始を検出する操作検出部と、前記操作検出部の出力により前記電源部の電力を前記制御部に供給するか否かを制御する電力供給部を備えることを特徴とするリモコン送信機。
【請求項２】
前記電力供給部は、一旦、前記操作検出部の出力により前記電源部から前記制御部への電力供給を開始した場合は、開始以降、前記操作検出部の操作検出信号が途絶えた場合も電力供給を停止しないことを特徴とする、請求項１に記載のリモコン送信機。
【請求項３】
前記操作検出部は、リモコンの操作が開始される場合の振動を利用した発電機能を有していることを特徴とする、請求項１ないし請求項２のうちいずれかに記載のリモコン送信機。
【請求項４】
前記制御部は前記入力部から利用者の操作を検出しなくなり一定時間が経過した後は、前記電源部から前記制御部への電力の供給を実施するための信号を前記電力供給部に出力することを止めることを特徴とする、請求項１ないし請求項３のうちいずれかに記載のリモコン送信機。
【請求項５】
前記制御部は前記操作検出部から出力される操作検出信号が途絶えて一定時間が経過した後は、前記電源部から前記制御部への電力の供給を実施するための信号を前記電力供給部に送ることを止めることを特徴とする、請求項１ないし請求項３のうちいずれかに記載のリモコン送信機。
【請求項６】
前記制御部は前記操作検出部から出力される操作検出信号が途絶えて一定時間が経過した後は、前記表示部の表示を停止させることを特徴とする、請求項１ないし請求項３のうちいずれかに記載のリモコン送信機。
【請求項７】
前記制御部は前記入力部からの操作入力と前記操作検出部から出力される操作検出信号とを比較する異常判断手段を有し、前記異常判断手段が異常と判断した場合、前記電源部から前記制御部への電力の供給を実施するための信号を前記電力供給部に送ることを止めることを特徴とする、請求項１ないし請求項６のうちいずれかに記載のリモコン送信機。
【発明の詳細な説明】
【技術分野】
【０００１】
本発明は、リモコン送信機に関し、特に、電池の消耗を防ぐ節電機能を有するリモコン送信機に関する。
【背景技術】
【０００２】
従来例のリモコン送信機（例えば、特許文献１参照）を、図面を参照して説明する。図１０は、従来のリモコン送信機の内部回路を説明する為のブロック図である。図１１（ａ）及び図１１（ｂ）はそれぞれ従来のリモコン送信機を表側及び裏側から見た外観図であり、図１２は、従来のリモコン送信機の部分断面図である。
【０００３】
従来例のリモコン送信機の内部回路は、図１０に示すように、電源部４０１と、リモコン送信用マイクロコントローラーＩＣ回路４０３と、システムクロック発振回路４０４と、キーマトリクス回路４０５と、赤外線リモコン送信出力回路４０６とから構成される。また、電源部４０１は、リモコン送信機の電気回路を動作させるために、直流電圧を供給する部分で、主に乾電池やリチウム電池などを使用し、２〜３．５Ｖ程度の直流電圧を供給している。
【０００４】
さらに、リモコン送信用マイクロコントローラーＩＣ回路４０３は、電源部４０１からの電源供給を受けて低電圧で動作し、赤外線リモートコントロール送信用キャリア発生装置及びキー入力によりスタンバイ解除機能とプログラマブル・タイマを持ち、キー入力に応じた送信信号を出力することが可能なシングルチップタイプのマイクロコントローラーである。加えて、システムクロック発振回路４０４は、セラミック発振子と発振用コンデンサにより構成され、リモコン送信用マイクロコントローラーＩＣ回路４０３がプログラム動作を行うための基本クロックを供給する。
【０００５】
また、キーマトリクス回路４０５は、リモコン送信機の使用者が電気機器をコントロールするための複数のボタンで構成され、リモコン送信機の表面に配置され、キー入力に応じた動作を送信用マイクロコントローラーＩＣ回路４０３に行わせることができる。
さらに、赤外線リモコン送信出力回路４０６は、電源部４０１からの電源供給を受けて動作し、送信用マイクロコントローラーＩＣ回路４０３からのリモコン送信出力信号を赤外線出力素子としての赤外線ダイオードにより、赤外線信号として外部出力させることができる。
【０００６】
従来例のリモコン送信機の外観は、図１１（ａ）及び図１１（ｂ）の外観図に示すように、操作用ボタン５０１と、赤外線出力素子５０２を備えたものとなっている。また、操作用ボタン５０１は、使用者が電気機器をコントロールするために操作する複数のボタンをリモコン送信機の表面に配置され、使用者のキー入力に応じた動作を図１０の送信用マイクロコントローラーＩＣ回路４０３に行わせるものである。さらに、赤外線出力素子５０２は、図１０の送信用マイクロコントローラーＩＣ回路４０３からのリモコン送信出力信号を、電気機器をコントロールするために必要な赤外線信号として出力させるものである。
【０００７】
この従来のリモコン送信機の内部構造は、図１２の断面図に示すように、筐体カバー表側部６０１と、筐体カバー裏側部６０２と、プリント基板６０３と、接点付きゴム６０４と、赤外線出力素子６０５とを備えたものとなっている。筐体カバー表側部６０１は、プリント基板６０３や接点付きゴム６０４及び図９の電源部４０１を保持し、電気機器をコントロールするために操作する複数のボタンが表面に配置され絶縁材料で構成されている
。
【０００８】
さらに、筐体カバー裏側部６０２は、筐体カバー表側部６０１と同様にプリント基板６０３や図９の電源部４０１を保持し、机上や床、電気機器の上部平坦部分に置かれたときに安定した状態に保たれるような形状に加工されている。
【０００９】
加えて、プリント基板６０３は、図１０のリモコン送信用マイクロコントローラーＩＣ回路４０３やシステムクロック発振回路４０４、また赤外線リモコン送信出力回路４０６などの電気回路部品を実装し、それら部品をプリント基板片側表面に形成されている銅箔パターンに半田付けにより接続し、更に接点付きゴム６０４に対応する導電塗装されたパターンも形成されているものである。
【００１０】
また、接点付きゴム６０４は、使用者が電気機器をコントロールするために操作する複数のボタンを有して一体となったゴムで、そのボタンの下にはプリント基板６０３の表面に構成された導電塗装パターンに対応するように配置された複数の接点が構成され、使用者のキー入力に応じた動作を図１０の送信用マイクロコントローラーＩＣ回路４０３に行わせることができる。
【００１１】
さらに、赤外線出力素子６０５は、図１０の送信用マイクロコントローラーＩＣ回路４０３からのリモコン送信出力信号を赤外線ダイオードにより、赤外線信号として出力させることができる。
【００１２】
次に、従来のリモコン送信機の動作を説明する。従来例のリモコン送信機の動作は、図１０から図１０に示すように、まず第１に、電源部４０１に使用される電池がリモコン送信機本体に装着されると、リモコン送信機の表面に配置してあるボタンに対応するキーマトリクス回路４０５の入力の有無に関わらず、電源部４０１からリモコン送信用マイクロコントローラーＩＣ回路４０３及び赤外線リモコン送信出力回路４０６への電源ラインを、常に導通された状態にする。
【００１３】
このような状態で、図１１の操作用ボタン５０１が操作され図１０に示すキーマトリックス回路４０５に入力があると、マイクロコントローラーＩＣ回路４０３がこれを検出してボタンに対応した赤外線リモコン信号出力を赤外線リモコン出力回路４０６に指示し、図１１に示す赤外線出力素子５０２から赤外線出力信号が出力される。
【００１４】
しかしながら、従来のリモコン送信機には、リモコン送信機を使用していない場合においても、電源部４０１からの電源供給が行われ続けてしまうという課題があった。
【００１５】
その課題に対して、図１４に示すように、リモコンの背面に電源ラインを導通・遮断する電源スイッチ６０６を設けることにより、リモコン送信機が机上や床、電気機器の上部平坦部分に置かれて、使用者がリモコン送信機を使用しない状態にすると、図１３に示す電源部４０１からリモコン送信用マイクロコントローラーＩＣ回路４０３及び赤外線リモコン送信出力回路４０６への電源ラインは、リモコン本体底面から露出した電源スイッチ４０７がリモコン本体の自重により、押されている状態になるので、遮断された状態になる。この押しボタンスイッチは、プッシュオフタイプの１回路１接点のスイッチであり、ボタンが押されているときに接点が離れ、回路が遮断する動作になっている。
【００１６】
このとき、乾電池やリチウム電池などの電源部４０１からの電圧の供給は行われず、リモコン送信用マイクロコントローラーＩＣ回路４０３及び赤外線リモコン送信出力回路４０６は動作を行わず、電力の消費もない状態となる。この状態では、図１１に示す操作用ボタン２０１が操作されても、図１３のマイクロコントローラＩＣ回路４０３などには電
圧供給が行われないので、リモコン信号も出力されず、電力の消費を無くすることが可能となる。
【特許文献１】特開平１１−３５５１５３号公報
【発明の開示】
【発明が解決しようとする課題】
【００１７】
しかしながら、リモコン送信機が置かれる場所は、一般的に平坦であるところばかりではなく、また、クッションなどの柔らかいものの上に置かれる場合もあり、このような場所に置かれた場合、図１４に示す背面の電源スイッチ６０６が押し込まれない場合が考えられ、そのような場合には、リモコン送信機を操作しない場合の電力の消費を無くすることはできない。
【課題を解決するための手段】
【００１８】
前記課題を解決するために、本発明のリモコン送信機は、利用者の操作開始を検出する発電機能を有した操作検出部の出力信号により、電源部の電力を制御部に供給する電力供給部を備えたものである。この発電機能を有した操作検出部と電力供給部によりリモコン送信機が置かれる状況に左右されること無く、リモコン送信機の操作開始を検出することを可能とする事で、リモコン送信機未操作時の電源の消耗を防ぐことを目的とする。
【発明の効果】
【００１９】
本発明のリモコン送信機は、利用者がリモコン送信機を操作しない場合は電源を遮断とし、リモコン未操作時の電源の消耗を防止する一方、利用者がリモコン送信機の操作を開始する場合には、発電機能を有した操作検出部の出力信号により電源部からの電力の供給が開始されるため、利用者は違和感無くリモコン送信機の操作を行なうことができる。
【発明を実施するための最良の形態】
【００２０】
第１の発明は、一つ又は複数の機能に対応する入力部と、入力部に対応する機能を表示する表示部と、リモコン送信機全体の制御を行なう制御部と、リモコン送信機全体を動作させるための電力を蓄えている電源部とを備えたリモコン送信機において、利用者の操作開始を検出する操作検出部と、操作検出部の出力により電源部の電力を制御部に供給開始するか否かを制御する電力供給部を備えることにより、リモコンを操作しない場合は電源が切断されており、利用者がリモコン送信機の操作を開始するためにリモコン送信機を手にした直後に電源部からリモコン送信機に電源が投入されるため、リモコン送信機を操作しない場合の電源部の消耗を防ぐ一方、利用者は違和感無くリモコン送信機の操作を行なうことができる。
【００２１】
第２の発明は、特に第１の発明において、電力供給部は、一旦、操作検出部の出力により電源部から制御部への電力供給を開始した場合は、開始以降、操作検出部の出力が途絶した場合においても電力供給を遮断しないことにより、操作検出部による起動以降リモコン送信機は電源部により駆動されるため、安定した動作を行なうことができる。
【００２２】
第３の発明は、特に第１及び第２の発明において、操作検出部はリモコンの操作が開始される場合の振動を利用した発電機能を有する事により、リモコンを操作しない場合は、完全に電源部の電力の消費を停止させることができるため、電源部の消耗を防ぐことが可能となる一方、リモコン送信機を手にした直後にリモコン送信機に電源部から電力が供給されるため、利用者は違和感無くリモコン送信機の操作を行なうことができる。
【００２３】
第４の発明は、特に第１から第３の発明において、制御部は入力部から利用者の操作を検出しなくなり一定時間が経過した後は、電源部から制御部への電力の供給を実施する信号を電力供給部に送ることを止めることにより、リモコンを操作しない場合は、完全に電
源部の電力の消費を停止させることができるため、電源部の消耗を防ぐことができる。
【００２４】
第５の発明は、特に第１から第３の発明において、制御部は操作検出部から出力される操作検出信号が途絶えて一定時間が経過した後は、電源部から制御部への電力の供給を実施する信号を電力供給部に送ることを止めることにより、リモコンを操作しない場合は、完全に電源部の電力の消費を停止させることができるため、電源部の消耗を防ぐことができる。
【００２５】
第６の発明は、特に第１から第３の発明において、制御部は操作検出部から出力される操作検出信号が途絶えて一定時間が経過した後は、表示部の表示を停止させることにより、タイマー等の都合で、完全に制御部の動作を停止できない場合においても、リモコンを操作しない場合の表示部による電源部の消耗を防ぐことができる。
【００２６】
第７の発明は、特に第１から第６の発明において、制御部は入力部からの操作入力と操作検出部から出力される操作検出信号とを比較する異常判断手段を有し、異常判断手段が異常と判断した場合、電源部から制御部への電力の供給を実施する信号を電力供給部に送ることを止めることにより、リモコン送信機が操作者による操作以外の原因によりキー入力がされている場合においても、その状況を検出し電源を遮断するため電源部の消耗を防ぐことができる。
【００２７】
以下、本発明の実施の形態について、図面を参照しながら説明する。なお、本実施の形態によって本発明が限定されるものではない。
【００２８】
（実施の形態１）
図１は、本発明の実施の形態１によるリモコン送信機のブロック図、図２は、操作検出部５の内部構成図、図３は、圧電発電器１０の構成図、図４は、信号発生回路１１の回路図、図５は、電力供給部６の構成図である。以下、図１から図５を用いて本発明の実施の形態１のリモコン送信機の動作について説明する。
【００２９】
図１に示すように、リモコン全体の制御は制御部３が受け持ち、この制御部３には、操作者の入力指示を伝える入力部１と、各種制御情報を表示する表示部２と、電源部４からの電力を接続或いは遮断する電力供給部６が接続されている。また、電力供給部６には、電源部４と操作の開始を検出する操作検出部５が接続されている。
【００３０】
次に、操作者がリモコン操作を開始する場合のリモコン送信機の各処理を説明する。リモコン送信機を操作者が手にする事により、リモコン送信機全体には振動が発生する。その振動を検出した操作検出部５は、電力供給部６に対し電源部４からの電力供給を実施するための信号を出力する。以下、操作検出部５が如何にして振動を検出し電力供給部６に対して信号を出力するかを説明する。
【００３１】
図２は、操作検出部５の内部構成図である。操作検出部５は、圧電発電器１０と信号発生回路１１とを備えて構成されている。圧電発電器１０は、リモコン送信機内に振動可能に支持されている。即ち、操作者がリモコン送信機の操作を行なおうとして手にした時に、リモコン送信機は揺動するので、上記圧電発電器１０で発生した電圧は、信号発生回路１１内で整流されて、その発生した電力を利用して、電力供給部６に対しリモコンの操作が開始されたことを指令する信号を出力する。
【００３２】
信号発生回路１１の動作を確実なものとする為には、圧電発電器１０で発生する電圧の正負を共に利用するため、信号発生回路１１内の整流回路には、ブリッジにダイオードを組み合わせた回路を用いるのが望ましい。
【００３３】
次に、圧電発電器１０の構成例を図３を用いて説明する。図２に示す圧電発電器１０は、両端が閉塞された筒状の容器であり、内部に圧電セラミックス板ＰＺＴ１及びＰＺＴ２を配置し、これら圧電セラミックス板ＰＺＴ１及びＰＺＴ２を鋼球２２の殴打により発電するものである。圧電発電器１０の容器の一方の側面にクッション板２３を接着接着し、このクッション板２３の中央部のみに、接着材２４を用いて圧電セラミックス板ＰＺＴ１を接着する。容器の他方の側面にも、同様にして圧電セラミックス板ＰＺＴ２を接着し、両者を向かい合せる。これら両圧電セラミックス板の向かい合う面の中央部にプロテクタ板２５を固着する。そして、両圧電セラミックス板間に、パイプ２０を配置し、このパイプ２０内に転動自在な鋼球２２を設ける。
【００３４】
上記圧電セラミックス板ＰＺＴ１及びＰＺＴ２は、同一形態（同一材質、同一形状、同一厚さ）の２枚の板状の圧電セラミックス素子２１ａ，２１ｂを、各セラミックス素子２１ａ，２１ｂの分極の極性を逆にして接合したものである。この同一形態のセラミックス素子２１ａ，２１ｂを接合したことにより、２つのセラミックス素子２１ａ，２１ｂは、接合面を中心（伸縮しない部位）にたわみ振動が行われる。この場合、一方の側のセラミックス素子２１ａが伸長すれば他方の側のセラミックス素子２１ｂは収縮し、かつ出力電圧の電極は同一方向となり、両圧電セラミックス素子２１ａ，２１ｂは直列に接続された発電構成となる。
【００３５】
この圧電セラミックス素子２１ａ，２１ｂは、機械的エネルギーと電気的エネルギーとの間の変換素子用として知られており、圧電効果を示す物質は無機・有機ともに多くの材料が知られているが、現在実用レベルにある材料としてセラミックスのＰＺＴ系（ｐｉｅｚｏｅｌｅｃｔｒｉｃ  ｃｅｒａｍｉｃｓ）等の材料がある。
【００３６】
圧電セラミックス素子は、多結晶体に、直流高電圧を印加し残留分極を発生させて圧電性をもたせた素子であり、組成によりかなり自由に基本圧電定数を変化させることができ、特に、チタンジルコン酸亜鉛系の圧電セラミックス素子は、組成比や添加物の選択幅が広く、本発明のようなリモコン送信機の発電器としては好適である。
【００３７】
ところで、上記接合面を中心にたわみ振動が行われると、一方の圧電セラミックス素子２１ａ（又は２１ｂ）で伸長と収縮との両方の作用が行われて、分極が打ち消されるということがなく効率的に発電が行われる。発電された電気エネルギとしての電流はリード線２６を用いて取り出す。
【００３８】
上記クッション板２３は、合成樹脂材、ゴム材、あるいはこれらをスポンジ状にした軟質の材料である。このようなクッション板２３を用い、しかもこのクッション板２３の中央部のみを接着材２４を用いて圧電セラミックス板２１を固着したのは、圧電セラミックス板２１の振動を減衰させないためである。圧電セラミックス板２１が振動する場合、この圧電セラミックス板２１を支持する部材は圧電セラミックス板２１の振動を減衰させる要因になり、この減衰要因を取り除くために、クッション板２３を用いて極力圧電セラミックス板２１を自由な状態におく。
【００３９】
クッション板２３を用いることで、圧電セラミックス板２１の固有振動が長続きするので、発電効率が良くなる。また、クッション材は圧電セラミックス板２１に加えられる衝撃を緩和する。プロテクタ板２５は、金属製或いは合成樹脂製等で形成されており、鋼球２２の殴打から圧電セラミックス板ＰＺＴ１及びＰＺＴ２を保護する。
【００４０】
このような構成からなる圧電発電器１０が装備されたリモコン送信機の場合、リモコンを操作する目的で操作者がリモコンを手にする事により振動鋼球２２はパイプ２０内を転
動して左右の圧電セラミックス板ＰＺＴ１及びＰＺＴ２を殴打し、衝突による衝撃エネルギを印加する。そして、圧電セラミックス板ＰＺＴ１及びＰＺＴ２は振動が励起され、伸長及び収縮がくり返されて交流電気を発電する。
【００４１】
尚、ここでは殴打体として、上記鋼球２２をパイプ２０内に配置して圧電セラミックス板ＰＺＴ１及びＰＺＴ２を殴打する形態としたが、この殴打体の材質、形状は鋼製の球に限られるものではなく、他に円柱状、卵状等の重量物であってもよい。また、パイプ２０に限らず、殴打体が自在に移動できるものであれば、殴打体がレールに沿って移動するような形態であってもよい。他に、パイプ２０の代わりにバネ材（上方向き或いは下方向）を用い、このバネ材の一端を固定しその他端に上記鋼球２２を取り付け、このバネ材の左右揺動により両側の圧電セラミックス板ＰＺＴ１及びＰＺＴ２を殴打する形態とすることもできる。
【００４２】
図４は、上記圧電発電器１０が発電した電気を整流して電力供給部６へ電源供給を指令する信号を作る信号発生回路１１の回路を示したものである。この信号発生回路１１は、圧電発電器１０により発生した電流を、整流用ダイオードＤ１〜Ｄ６、電力供給部６に信号を伝達するためのフォトカプラＰＣ１を有する。圧電発電器１０のＰＺＴ１で発電した電気は、ダイオードＤ１〜Ｄ３により全波整流され、また圧電発電器１０のＰＺＴ２で発電した電気は、ダイオードＤ４〜Ｄ６により全波整流される。これら、全波整流された電気はフォトカプラＰＣ１の敷居値を超えた場合、ＰＣ１を導通させ、それが電源供給開始を指令する信号となる。
【００４３】
図５を用いて、電力供給部６が操作検出部５から電源供給を指令する信号を受けた場合の動作を説明する。電力供給部６は、ＳＷ制御判定部３０とＳＷ部３０で構成されている。ＳＷ制御判定部３０には、制御部３、操作検出部５及びＳＷ部３１が接続されている。ＳＷ制御判定部３０は、制御部３から電源接続指令信号あるいは操作検出部５から電源供給を指令する信号が入力されると、その信号に従い、電力供給信号をＳＷ部３１に出力する。ＳＷ部３１が導通した場合は、電源部４から制御部３に対し電力の供給が開始される。
【００４４】
制御部３は、電源部４からの電力の供給が開始されると、ＳＷ制御判定部３０に対し、ＳＷ部３１の導通を継続させる電源接続指令信号を出力する。これにより、振動の状況により圧電発電器１０の出力が低下し電源供給を指令する信号が途絶えた場合においても、電源部４からの電力の供給は継続されるため、リモコン送信機としての動作を安定して行なうことができる。
【００４５】
次に、操作者によるリモコン送信機の操作が終了した場合の動作を説明する。制御部３は、入力部１からの操作入力が途絶えて一定時間経過するとＳＷ制御判定部３０に対する電源接続指令信号を停止する。電源接続指令信号の停止を検出したＳＷ制御判定部３０はＳＷ部３１に対する電力供給信号を停止する。ＳＷ制御判定部３０から電力供給信号の停止を検出したＳＷ部３１は、電源部４から制御部３への電源供給ラインを遮断する。これにより、リモコン送信機が待機時の電源部の消耗は発生しなくなる。
【００４６】
（実施の形態２）
図６は、本発明の実施の形態２によるリモコン送信機のブロック図である。図７は、操作者による操作が終了した場合にリモコン送信機の動作を停止させ、電源部４の消耗を防ぐための制御部３の処理を示すフローチャートである。以下、図６及び図７を用いて本発明の実施の形態２のリモコン送信機の動作について説明する。
【００４７】
ここで、入力部１、表示部２、電源部４、操作検出部５及び電力供給部６の動作につい
ては実施の形態１での説明と同様であるため省略する。本実施の形態２では、操作検出部５の出力が電力供給部６に加えて制御部３へ入力されていることを大きな特徴としている。実施の形態１の動作と異なる部分は、操作者によるリモコン送信機の操作が終了した場合であるので、この部分の動作を図７のフローチャートを用いて説明する。ここで説明するフローチャートによる処理は、一定時間毎に実行される。
【００４８】
ｓｔ１では、操作検出部５からの信号を調べる。操作検出部５の出力は、操作者がリモコン送信機を操作している間は、断続的に振動が発生するため、操作検出部５の出力信号は変動及び断続しながらも電源供給を指令する信号が入力される。つまり、操作者がリモコン送信機を手にしている場合は電源供給を指令する信号が入力されるが、操作が終わり置かれている等で操作されていない場合は電源供給を指令する信号は入力されない。電源供給を指令する信号が入力されない場合はｓｔ２に進み、一方電源供給を指令する信号が入力される場合はｓｔ５に進む。
【００４９】
ｓｔ２では、操作検出部からの入力がない時間をカウントするため、現在のカウンタを＋１し、ｓｔ３へ進む。ｓｔ３では、ｓｔ２で更新したカウンタの値が予め設定している上限値を超えたかどうかを判定する。超えている場合はｓｔ４に進み、超えていない場合は終了する。ｓｔ４では、電力供給部６に対する電源接続指令信号を停止し終了する。一方、ｓｔ５では、現在操作者によりリモコン送信機の操作が行なわれている状態であるため、操作検出部からの入力がない時間をカウントしているカウンタを０とし終了する。
【００５０】
図５において、電源接続指令信号の停止を受けたＳＷ制御判断部３０はＳＷ部３１に対し電源の切断を指示する。ＳＷ制御判断部３０からの電源の切断指令を受けたＳＷ部３１は、電源部４から制御部３への電源供給ラインを遮断する。これにより、リモコン送信機が待機時の電源部の消耗は発生しなくなる。
【００５１】
（実施の形態３）
図８は、本発明の実施の形態３によるリモコン送信機のブロック図である。リモコン送信機の起動及び停止時の処理は実施の形態１および実施の形態２での説明と同一であるため説明を省略する。
【００５２】
図９は、操作者による操作ではなく、リモコン送信機が何か別のものの下敷になっている等の原因により入力部１により連続して入力され続けている状態の場合にその動作を停止させ、電源部の消耗を防ぐための制御部３の処理を示すフローチャートである。
図９のフローチャートに従い、制御部３の処理を説明する。ここで説明するフローチャートによる処理は、一定時間毎に実行される。
【００５３】
ｓｔ１からｓｔ６までは、操作検出部５の電源供給を指令する信号により現在リモコン送信機が操作者の手にあるのか無いのかを判断するステップである。ｓｔ１では、操作検出部５からの電源供給を指令する信号を調べる。操作者がリモコン送信機を手にしている場合は電源供給を指令する信号が入力されるが、置かれている場合は信号は入力されない。信号が入力されない場合はｓｔ２に進み、信号が入力される場合はｓｔ５に進む。ｓｔ２では、操作検出部からの入力がない時間をカウントし、ｓｔ３へ進む。ｓｔ３では、ｓｔ２でのカウント値（操作検出部からの入力がない時間）が予め設定している上限値を超えたか否かを判定する。超えている場合はｓｔ４に進み、超えていない場合はｓｔ７へ進む。ｓｔ４では、現在の操作状態を操作者による操作はない状態であることを確定しｓｔ７へ進む。
【００５４】
一方、ｓｔ５では、現在操作者によりリモコン送信機の操作が行なわれている状態であるため、ｓｔ２でカウントしている値（操作検出部からの電源供給を指令する信号の入力
がない時間）を０としｓｔ６へ進み、ｓｔ６では現在の操作状態を操作者による操作がある状態であることを確定しｓｔ７へ進む。
【００５５】
ｓｔ７からｓｔ１２までは、入力部１による入力の有無を判断するステップである。ｓｔ７では、入力部１からの信号を調べる。操作者がリモコン送信機を操作している場合は断続的にキー入力信号が得られるが、操作していない場合はキー入力信号は得られない。キー入力信号が得られない場合はｓｔ８に進み、キー入力信号が得られる場合はｓｔ１１に進む。ｓｔ８では、入力部１からの入力がない時間をカウントし、ｓｔ９へ進む。ｓｔ９では、ｓｔ８でのカウント値（入力部１からのキー入力がない時間）が予め設定している上限値を超えたかどうかを判定する。超えている場合はｓｔ１０に進み、超えていない場合はｓｔ１３へ進む。ｓｔ１０では、現在の入力状態をキー入力はない状態であることを確定しｓｔ１３へ進む。
【００５６】
一方、ｓｔ１１では、現在操作者によりリモコン送信機の入力が行なわれている状態であるため、ｓｔ８でカウントしているカウンタ値（入力部１からのキー入力がない時間）を０にしｓｔ１２へ進み、ｓｔ１２では現在の入力状態をキー入力がある状態であることを確定しｓｔ１３へ進む。ｓｔ１３以降では、現在の操作状態と現在のキー入力状態から、異常状態を判断しそれに応じた処理を実行するステップである。
【００５７】
ｓｔ１３では、現在の状態が異常か否かを判定する。現在の操作状態がｓｔ４で確定した操作者による操作はない状態であり、かつ、現在のキー入力状態がｓｔ１２で確定したキー入力がある状態の場合、異常であると判断しｓｔ１４へ進む。一方、この条件を満足しない場合は処理を終了する。ｓｔ１４では、電力供給部６に対し電力供給を止めるように電源接続指令信号を停止する。
【００５８】
以上の説明のようなフローにより、操作者による操作以外でキーが押されている場合の電源部の消耗を防ぐことができる。
【産業上の利用可能性】
【００５９】
本発明のリモコン送信機は、各種電気・電子機器のリモコン送信機に適用でき、特に節電機能を有するので、非操作時の消費電力の大きいものや、小型電池を用いて送信機を小型化する場合等に有用である。
【図面の簡単な説明】
【００６０】
【図１】本発明の実施の形態１によるリモコン送信機のブロック図
【図２】本発明の実施の形態１による操作検出部５の内部構成図
【図３】本発明の実施の形態１による圧電発電器１０の構成図
【図４】本発明の実施の形態１による信号発生回路１１の回路図
【図５】本発明の実施の形態１による電力供給部６の構成図
【図６】本発明の実施の形態２によるリモコン送信機のブロック図
【図７】本発明の実施の形態２によるリモコン送信機の動作を停止させる場合の制御部３の処理を示すフローチャート
【図８】本発明の実施の形態３によるリモコン送信機のブロック図
【図９】本発明の実施の形態３による制御部３の異常時判定処理を示すフローチャート
【図１０】従来のリモコン送信機の内部回路のブロック図
【図１１】従来のリモコン送信機を表側及び裏側から見た外観図
【図１２】従来のリモコン送信機の部分断面図
【図１３】従来のリモコン送信機の内部回路のブロック図
【図１４】従来のリモコン送信機の部分断面図
【符号の説明】
【００６１】
１  入力部
２  表示部
３  制御部
４  電源部
５  操作検出部
６  電力供給部
【図１】
2006203729.tif 000003
【図２】
2006203729.tif 000004
【図３】
2006203729.tif 000005
【図４】
2006203729.tif 000006
【図５】
2006203729.tif 000007
【図６】
2006203729.tif 000008
【図７】
2006203729.tif 000009
【図８】
2006203729.tif 000010
【図９】
2006203729.tif 000011
【図１０】
2006203729.tif 000012
【図１１】
2006203729.tif 000013
【図１２】
2006203729.tif 000014
【図１３】
2006203729.tif 000015
【図１４】
2006203729.tif 000016